(57)【特許請求の範囲】
【請求項１】
カメラレンズ鏡筒先端部の内径側に螺設された雌ネジ部に螺合してカメラレンズ鏡筒先端部に装着される各種フィルターレンズを内蔵するフィルター枠において、該フィルター枠の外周部全体または外周部の一部分にレンズフード装着用の雄ネジ部を螺設し、該レンズフード装着用の雄ネジ部を用いてレンズフードの装着用内径部に螺設したレンズフード雌ネジ部を螺合する構成となし、前記フィルター枠の内径部をレンズフード装着用雄ネジ部により縮小させることなく前記フィルター枠の外周部にレンズフードを着脱自在に取付けてケラレ等が生じることを防止することを特徴とするカメラ用のフィルター枠。
【請求項２】
前記フィルター枠の外周部にレンズフード装着用のバヨネット係合部を刻設し、該レンズフード装着用のバヨネット係合部にレンズフードの装着用内径部に突設したバヨネット片を係合する構成となし、該係合したフィルルター枠の内径部をレンズフード装着用のバヨネット係合部より縮小させることなく前記フィルター枠の外周部にレンズフードを着脱自在に取付けてケラレ等が生じることを防止すること、また前記係合したフィルター枠とレンズフード間をスライドピン等の係止機構にて係着する構成としたことを特徴とする請求項１に記載されたカメラ用のフィルター枠。
【請求項３】
前記フィルター枠の外周部に着脱自在に取り付けられるレンズフードは、筒形、円錐形（ランプシェード形）、そして花弁形のレンズフードであることを特徴とする請求項１及び請求項２に記載されたカメラ用のフィルター枠。
【発明の詳細な説明】
【技術分野】
【０００１】
本発明は、デジタルカメラ等におけるレンズフードの装着機能付きフィルター枠に関するものである。
【０００２】
本発明におけるレンズフードの装着機能付きフィルター枠は、フィルター枠に筒形、円錐形（ランプシェード形）、そして花弁形等のレンズフードを簡単、且つ容易に取付けすることができ、また、不要時にはフィルター枠よりレンズフードを簡単、且つ容易に取外しするこができるフィルター枠を提供するものである。
【背景技術】
【０００３】
従来、デジタルカメラ等において用いられるレンズフードの取付け方には、カメラレンズ鏡筒先端部の内径側に螺設されたアタッチメント螺着用の雌ネジ部にレンズフード外径部に螺設した雄ネジ部を螺着するネジ込み方式や、特開２００６−８４６０４号公報（以下、特許文献１と称する）にて開示されている如くカメラレンズ鏡筒先端部の外周面にバヨネット係合部を突設すると共に、レンズフードの装着部内径側に前記バヨネット係合部に対向するようにバヨネット片を設けて、カメラレンズ鏡筒の外周面にレンズフードをバヨネット構造にて取付ける方式がある。
【０００４】
而して、従来のネジ込み方式のレンズフード取付け方式は、カメラレンズ鏡筒先端部の内径側に螺設されたアタッチメント螺着用の雌ネジ部を使用するために当該雌ネジ部に装着していたフィルター枠を取り外ししなければならない。また、通常のフィルター枠は、フィルター枠の外部側内径部にもアタッチメント螺着用の雌ネジ部が螺設してあり、任意のフィルターレンズを有するフィルター枠をカメラレンズ鏡筒に装着した後に、該フィルター枠の外部側内径部に螺設された雌ネジ部にレンズフード外径部に螺設した雄ネジ部を螺着するネジ込み式レンズ取付け方式を用いている。
【０００５】
然しながら、カメラレンズ鏡筒先端部に任意のフィルターレンズを有するフィルター枠を装着し、そのフィルター枠の外部側内径部にレンズフード外径部を装着させる方法は、フィルター枠の内径部をレンズフードのネジ部により縮小させることになり、このレンズフードの装着方法はケラレ等を生じさせる原因にもなり、徐々に使用されなくなってきている。
【０００６】
斯して、最近では、特許文献１において開示されている従来装置の如くカメラレンズ鏡筒先端部の外周面にバヨネット係合部を突設し、レンズフードの装着部内径側には前記バヨネット係合部に対向するようにバヨネット片を設けてカメラレンズ鏡筒の外周面にレンズフードをバヨネット構造にて取付ける方式のものが多く採用されるようになってきた。レンズフードをバヨネット構造にてカメラレンズ鏡筒に着脱自在に装着するものは、カメラレンズ鏡筒の外周部よりレンズフードの形状を構成するフード本体を直接拡散方向に形成することができることから、ネジ込み方式を用いたレンズフードの取付け方式に比較して、ケラレ等の防止効果がある。
【０００７】
然しながら、カメラレンズ鏡筒の先端部にレンズフードをバヨネット構造にて装着するには、カメラレンズ鏡筒の外周部に複数個のバヨネット溝やバヨネット係合部を突設して設ける必要があり、複雑なカメラレンズ鏡筒の製作工程をより複雑化してしまう欠点が生じてしまう。
【０００８】
また、カメラレンズ鏡筒先端部に設けられるバヨネット構造のレンズフード装着機構は、レンズフードの装着部内径側に設けられた複数のバヨネット片がカメラレンズ鏡筒外周面に設けられたバヨネット係合部とバヨネット溝において挟持され、この挟持に際して両者間に生じる摩擦力により係合状態を維持している構造であるために、カメラを肩から下げての移動中に突然レンズフードが外れて落下してしまう欠点が生じたり、バヨネット構造部の経年変化によりレンズフードの摩擦による保持力の低下や、装着操作の低下等の問題が生じることは避けられない。
【０００９】
更に、カメラレンズ鏡筒先端部に突出して設けられるバヨネット構造のバヨネット係合部は構造が繊細で壊れやすく、特にカメラレンズ鏡筒の先端部にレンズフードを装着した場合において、レンズフードを堅い物にぶつけてしまった場合等にバヨネット構造のバヨネット係合部やバヨネット片は壊れやすく、カメラレンズ鏡筒外周部に設けられたバヨネット係合部が壊れた場合には、カメラレンズ鏡筒全体をも破損品として扱われてしまう等の大きな欠点を有している。
【００１０】
そして、カメラレンズ鏡筒先端部に一体化して設けられる突出した構造のバヨネット係合部は、カメラレンズ鏡筒として外観上の見栄えがよくないと云う欠点を有している。
【先行技術文献】
【特許文献】
【００１１】
【特許文献１】特開２００６−８４６０４号公報
【発明の概要】
【発明が解決しようとする課題】
【００１２】
斯くして、本発明が解決しようとする課題は、カメラレンズ鏡筒先端部に各種フィルター枠を介してレンズフードを装着する際に、筒形、円錐形（ランプシェード形）、そして花弁形のレンズフードを簡単、且つ容易に取付けすることができ、また、不要時にはフィルター枠よりレンズフードを簡単、且つ容易に取外しするこができるレンズフードの着脱機能付きフィルター枠を提供するものである。
【００１３】
また、本発明は、カメラレンズ鏡筒先端部に各種フィルターを介してレンズフードを取付けるに際してケラレ等が生じないレンズフードの着脱機能付きフィルター枠を提供するものである。
【００１４】
更に、本発明は、最近ケラレ等の防止効果のあるバヨネット構造のフード取付け構造の欠点を解消して、壊れにくく外観上見栄えのよいレンズフードの着脱機能付きフィルター枠を提供するものである。
【課題を解決するための手段】
【００１５】
本発明は、カメラレンズ鏡筒先端部の内径側に螺設された雌ネジ部に螺合してカメラレンズ鏡筒先端部に装着される各種フィルターレンズを内蔵するフィルター枠において、該フィルター枠の外周部全体または一部分にレンズフード装着用の雄ネジ部を螺設し、該レンズフード装着用の雄ネジ部にレンズフードの装着用内径部に螺設したレンズフード雌ネジ部を螺合することにより前記フィルター枠の外周部にレンズフードを着脱自在に取付けたカメラ用のフィルター枠を提供するものである。
【００１６】
また、本発明は、カメラレンズ鏡筒先端部の内径側に螺設された雌ネジ部に螺合してカメラレンズ鏡筒先端部に装着される各種フィルターレンズを内蔵するフィルター枠において、前記フィルター枠の外周部にレンズフード装着用のバヨネット係合部を刻設し、該レンズフード装着用のバヨネット係合部にレンズフードの装着用内径部に突設したバヨネット片を係合し、該係合したフィルルター枠とレンズフード間をスライドピン等の係止機構にて係着することにより前記フィルター枠の外周部にレンズフードを着脱自在に取付けたカメラ用のフィルター枠を提供するものである。
【００１７】
更に、本発明は、カメラレンズ鏡筒先端部の内径側に螺設された雌ネジ部に螺合してカメラレンズ鏡筒先端部に装着される各種フィルターレンズを内蔵するフィルター枠において、前記フィルター枠の外周部に着脱自在に取り付けられるレンズフードは、筒形、円錐形（ランプシェード形）、そして花弁形のレンズフードであるカメラ用のフィルター枠を提供するものである。
【発明の効果】
【００１８】
従来のネジ込み式レンズフードの取付け方式では、カメラレンズ鏡筒先端部に任意のフィルターレンズを有するフィルター枠を装着し、そのフィルター枠の外部側内径部にレンズフードのネジ部を装着させる方法であるために、フィルター枠の内径部をレンズフードのネジ部により縮小させることになり、このレンズフードの装着方法はケラレ等を生じさせる原因を有していたが、本発明では、フィルター枠の外周部を用いてレンズフードを着脱自在に取付ける構成を採用することにより、ケラレ等が生じることを防止することができた。
【００１９】
また、ケラレ等の防止効果があるカメラレンズ鏡筒の先端部にレンズフードをバヨネット構造にて装着する方法は、カメラレンズ鏡筒の外周部に複数個のバヨネット溝やバヨネット係合部を突設して設ける必要があり、複雑なカメラレンズ鏡筒の製作工程をより複雑化してしまう欠点が生じてしまうが、本発明は、レンズフードをフィルター枠に簡単、且つ容易に取付けすることができ、また、不要時にはフィルター枠よりレンズフードを簡単、且つ容易に取外しするこができるレンズフードの装着機構付フィルター枠を提供することができた。
【００２０】
更にまた、カメラレンズ鏡筒先端部に設けられる従来のバヨネット構造のレンズフード装着機構は、レンズフードの装着部内径側に設けられた複数のバヨネット片がカメラレンズ鏡筒外周面に設けられたバヨネット係合部とバヨネット溝において挟持され、この挟持に際して両者間に生じる摩擦力により係合状態を維持している構造であるために、カメラを肩から下げての移動中に突然レンズフードが外れて落下してしまう欠点が生じたり、バヨネット構造部の経年変化によりレンズフードの摩擦による保持力の低下や、装着操作の低下等の問題が生じることは避けられないものであったが、本発明では、この点をフィルター枠の外周部にレンズフード装着用のバヨネット係合部を刻設し、該レンズフード装着用のバヨネット係合部にレンズフードの装着用内径部に突設したバヨネット片を係合し、その係合したフィルルター枠とレンズフード間をスライドピン等の係止機構にて係着することにより、解消することができた。
【００２１】
そして、従来のカメラレンズ鏡筒先端部に突出して設けられるバヨネット構造のバヨネット係合部は、構造が繊細で壊れやすく、特にカメラレンズ鏡筒の先端部にレンズフードを装着した場合において、レンズフードを堅い物にぶつけてしまった場合等にバヨネット構造のバヨネット係合部やバヨネット片は壊れやすく、カメラレンズ鏡筒外周部に設けられたバヨネット係合部が壊れた場合には、カメラレンズ鏡筒全体をも破損品として扱われてしまう等の欠点を解消するものであり、本発明では、カメラレンズ鏡筒先端部にはバヨネット構造を設けることなく、カメラレンズ鏡筒として外観上の見栄えのよいレンズフード装着機構付フィルター枠を提供することができた。
【図面の簡単な説明】
【００２２】
【図１】（Ａ）本発明の実施例１を説明する組立説明図。           （Ｂ）実施例１における装着状態の説明図。
【図２】（Ａ）本発明の実施例２を説明する組立説明図。（Ｂ）実施例２における装着状態の説明図。
【発明を実施するための形態】
【００２３】
本発明は、デジタルカメラ等におけるレンズフードの装着機能付きフィルター枠に関するものである。
【００２４】
本発明におけるレンズフードの装着機能付きフィルター枠は、フィルター枠に筒形、円錐形（ランプシェード形）、そして花弁形のレンズフードを簡単、且つ容易に取付けすることができ、また、不要時にはフィルター枠よりレンズフードを簡単、且つ容易に取外しするこができるフィルター枠を提供するものである。
【００２５】
また、本発明は、カメラレンズ鏡筒先端部に各種フィルターを介してレンズフードを取付けるに際してケラレ等が生じないレンズフードの着脱機能付きフィルター枠を提供するものである。
【００２６】
更に、本発明は、最近ケラレ等の防止効果のあるバヨネット構造のフード取付け構造の欠点を解消して、壊れにくく外観上見栄えのよいレンズフードの着脱機能付きフィルター枠を提供するものである。
【００２７】
斯くして、本発明は、カメラレンズ鏡筒先端部の内径側に螺設された雌ネジ部に螺合してカメラレンズ鏡筒先端部に装着される各種フィルターレンズを内蔵するフィルター枠において、該フィルター枠の外周部全体または一部分にレンズフード装着用の雄ネジ部を螺設し、該レンズフード装着用の雄ネジ部にレンズフードの装着用内径部に螺設したレンズフード雌ネジ部を螺合することにより前記フィルター枠の外周部にレンズフードを着脱自在に取付けた構成であることが好ましい。
【００２８】
また、本発明は、カメラレンズ鏡筒先端部の内径側に螺設された雌ネジ部に螺合してカメラレンズ鏡筒先端部に装着される各種フィルターレンズを内蔵するフィルター枠において、前記フィルター枠の外周部にレンズフード装着用のバヨネット係合部を刻設し、該レンズフード装着用のバヨネット係合部にレンズフードの装着用内径部に突設したバヨネット片を係合し、該係合したフィルルター枠とレンズフード間をスライドピン等の係止機構にて係着することにより前記フィルター枠の外周部にレンズフードを着脱自在に取付けた構成であることが好ましい。
【００２９】
更に、本発明は、カメラレンズ鏡筒先端部の内径側に螺設された雌ネジ部に螺合してカメラレンズ鏡筒先端部に装着される各種フィルターレンズを内蔵するフィルター枠において、前記フィルター枠の外周部に着脱自在に取り付けられるレンズフードは、筒形、円錐形（ランプシェード形）、そして花弁形のレンズフードであることが好ましい。
【００３０】
尚、上述した各種フィルターレンズとは、フィルター枠に内蔵される赤外線（ＵＶ）カットフィルターレンズ、減光（ＮＤ）カットフィルターレンズ、ソフト効果フィルターレンズ、並びにスポット効果フィルターレンズ、接写レンズ等、各種の撮影効果を演出できるフィルターレンズを示している。
【００３１】
而して、従来のネジ込み式レンズフードの取付け方式では、カメラレンズ鏡筒先端部に任意のフィルターレンズを有するフィルター枠を装着し、そのフィルター枠の外部側内径部にレンズフード外径部を装着させる方法であるために、フィルター枠の内径部をレンズフードのネジ部により縮小させることになり、このレンズフードの装着方法はケラレ等を生じさせる原因を有していたが、本発明では、フィルター枠の外周部を用いてレンズフードを着脱自在に取付ける構成を採用することにより、ケラレ等が生じることを防止することが可能になった。
【００３２】
また、ケラレ等の防止効果があるカメラレンズ鏡筒の先端部にレンズフードをバヨネット構造にて装着する方法は、カメラレンズ鏡筒の外周部に複数個のバヨネット溝やバヨネット係合部を突設して設ける必要があり、複雑なカメラレンズ鏡筒の製作工程をより複雑化してしまう欠点が生じてしまうが、本発明では、レンズフードをフィルター枠に簡単且つ容易に取付けすることができ、また、不要時にはフィルター枠よりレンズフードを簡単且つ容易に取外しするこができるレンズフードの装着機構付フィルター枠を提供することが可能になった。
【００３３】
更にまた、カメラレンズ鏡筒先端部に設けられる従来のバヨネット構造のレンズフード装着機構は、レンズフードの装着部内径側に設けられた複数のバヨネット片がカメラレンズ鏡筒外周面に設けられたバヨネット係合部とバヨネット溝において挟持され、この挟持に際して両者間に生じる摩擦力により係合状態を維持している構造であるために、カメラを肩から下げての移動中に突然レンズフードが外れて落下してしまう欠点が生じたり、バヨネット構造部の経年変化によりレンズフードの摩擦による保持力の低下や、装着操作の低下等の問題が生じることは避けられないものであったが、本発明では、この点をフィルター枠の外周部にレンズフード装着用のバヨネット係合部を刻設し、該レンズフード装着用のバヨネット係合部にレンズフードの装着用内径部に突設したバヨネット片を係合し、その係合したフィルルター枠とレンズフード間をスライドピン等の係止機構にて係着することにより、解消することができた。
【００３４】
そして、従来のカメラレンズ鏡筒先端部に突出して設けられるバヨネット構造のバヨネット係合部は、構造が繊細で壊れやすく、特にカメラレンズ鏡筒の先端部にレンズフードを装着した場合において、レンズフードを堅い物にぶつけてしまった場合等にバヨネット構造のバヨネット係合部やバヨネット片は壊れやすく、カメラレンズ鏡筒外周部に設けられたバヨネット係合部が壊れた場合には、カメラレンズ鏡筒全体をも破損品として扱われてしまう等の欠点を解消を解消するもので、本発明のカメラレンズ鏡筒先端部にはバヨネット構造を設けることなく、カメラレンズ鏡筒として外観上の見栄えのよいレンズフード装着機構付フィルター枠を提供することが可能になった。
【実施例１】
【００３５】
図１（Ａ）は本発明における実施例１を示す組立図説明図、図１（Ｂ）は実施例１におけるレンズフードの装着状態説明図である。
【００３６】
図１（Ａ）、（Ｂ）において、Ｃはカメラレンズ鏡筒の光軸、１はカメラ本体側、２は入射光側を示しており、光軸Ｃ上には、カメラレンズ鏡筒先端部３、フィルター枠４、レンズフード５が配置されている。而して、カメラレンズ鏡筒先端部３はカメラ本体側が省略されてカメラレンズ鏡筒の先端部を示す断面図であり、４はフィルター枠を示す要部断面図、５は一例として花弁型のレンズフードを示す断面図である。
【００３７】
また、カメラレンズ鏡筒先端部３の入射光２側の内径側６には、レンズフードやフィルター等のアタッチメント装着用の雌ネジ部７が螺設されており、実施例１においては、該雌ネジ部７に前記フィルター枠４のカメラ本体側１に設けられた雄ネジ部８が螺合可能に螺設されている。そして、フィルター枠４には各種の撮影効果を演出可能なフィルターレンズ９が内蔵されており、該フィルター枠４の外周部１０には全面に亘って雄ネジ部１１が螺設されており、該フィルター枠４の外周部１０に螺設された雄ネジ部１１がレンズフードの装着部を形成している。
【００３８】
そして、フィルター枠４に対向する位置に配置されたレンズフード５は、そのカメラ本体側１に設けた装着開口部１２とフードを形成するカバー部１３（実施例１は花弁形を有している）により形成されており、前記開口部１２のレンズフード装着用内径部１４にレンズフード雌ネジ部１５を螺設している。
【００３９】
斯くして、本願発明の実施例１は、図１（Ｂ）に示す如くカメラレンズ鏡筒先端部３の内径側６に螺設された雌ネジ部７に螺合してカメラレンズ鏡筒先端部３に装着されるフィルター枠４において、該フィルター枠４の外周部１０の全体、またはフィルター枠４の外周部１０の一部分にレンズフード装着用の雄ネジ部１１を螺設し、該レンズフード装着用の雄ネジ部１１にレンズフード５の装着用内径部１４に螺設したレンズフード雌ネジ部１５を螺合することにより前記フィルター枠４の外周部１０にレンズフード５を着脱自在に取付けたカメラ用のフィルター枠を提供するものである。
【００４０】
そして、前記フィルター枠４の外周部１０に着脱自在に取り付けられるレンズフード５は、図１（Ａ）、図１（Ｂ）に示す如く花弁形のみならず筒形、円錐形（ランプシェード形）、のレンズフード５でも良い。
【実施例２】
【００４１】
図２（Ａ）は本発明における実施例２を示す組立図説明図、図２（Ｂ）は実施例２におけるレンズフードの装着状態説明図である。
【００４２】
図２（Ａ）、（Ｂ）において、Ｃはカメラレンズ鏡筒の光軸、１はカメラ本体側、２は入射光側を示しており、光軸Ｃ上には、カメラレンズ鏡筒先端部３、フィルター枠４、レンズフード５が配置されている。而して、カメラレンズ鏡筒先端部３はカメラ本体側が省略されてカメラレンズ鏡筒の先端部を示す断面図であり、４はフィルター枠を示す要部断面図、５は一例として花弁型のレンズフードを示す断面図である。
【００４３】
また、カメラレンズ鏡筒先端部３の入射光２側の内径側６には、レンズフードやフィルター等のアタッチメント装着用の雌ネジ部７が螺設されており、実施例２においては、該雌ネジ部７に前記フィルター枠４のカメラ本体側１に設けられた雄ネジ部８が螺合可能に螺設されている。そして、フィルター枠４には各種の撮影効果を演出可能なフィルターレンズ９が内蔵されており、該フィルター枠４の外周部１０には複数個（３から４カ所）のバヨネット係合部１６ａ、１６ｂ、１６ｃ・・・が設けられており、該夫々のバヨネット係合部１６ａ、１６ｂ、１６ｃ・・・には係合溝１７ａ、１７ｂ、１７ｃ・・・が刻設されていてレンズフードの装着部を形成している。
【００４４】
そして、フィルター枠４に対向する位置に配置されたレンズフード５は、そのカメラ本体側１に設けた装着開口部１２とレンズフード５を形成するカバー部１３（実施例１は花弁形を有している）により形成されており、前記開口部１２のレンズフード装着用内径部１４にはフィルター枠４の外周部１０に設けられたバヨネット係合部１６ａ、１６ｂ、１６ｃ・・・の係合溝１７ａ、１７ｂ、１７ｃ・・・に係合挟持されるバヨネット片１８ａ、１８ｂ、１８ｃ・・・が設けられている。
【００４５】
斯くして、本願発明の実施例２は、図２（Ｂ）に示す如くカメラレンズ鏡筒先端部３の内径側６に螺設された雌ネジ部７に螺合してカメラレンズ鏡筒先端部に装着されるフィルター枠４において、前記フィルター枠４の外周部１０にレンズフード装着用のバヨネット係合部１６ａ、１６ｂ、１６ｃ・・・を刻設し、該レンズフード装着用のバヨネット係合部１６ａ、１６ｂ、１６ｃ・・・にレンズフード装着用内径部１４に突設したバヨネット片１８ａ、１８ｂ、１８ｃ・・・を係合し、該係合したフィルルター枠４とレンズフード５間を前記レンズフード５の端部に設けたスライドピン１９とフィルター枠４に穿設されたスライドピン係合孔２０からなる係止機構にて係着することにより前記フィルター枠４の外周部１０にレンズフード５を着脱自在に取付けたカメラ用のフィルター枠を提供するものである。  
【００４６】
尚、前記フィルター枠４とレンズフード５の装着機構としてのバヨネット構造は、種々の構成が可能であり、実施例２においては、フィルター枠４の外周部１０に突設した形状のバヨネット片１８ａ、１８ｂ、１８ｃ・・・を設けた構成のものを提案したが、この構成は、フィルター枠４の外周部１０に凹部形状のバヨネット係合溝を刻設し、該フィルター枠４の入射光側２側壁にレンズフードに設けられるバヨネット片１８ａ、１８ｂ、１８ｃ・・・等の挿入用切欠き部を設けることによっても達成することが可能である。
【００４７】
そして、前記フィルター枠４の外周部１０に着脱自在に取り付けられるレンズフード５は、図２（Ａ）、図２（Ｂ）に示す如く花弁形のみならず筒形、円錐形（ランプシェード形）、のレンズフード５でも良い。
【００４８】
斯くして、従来のネジ込み式レンズフードの取付け方式では、カメラレンズ鏡筒先端部に任意のフィルターレンズを有するフィルター枠を装着し、そのフィルター枠の外部側内径部にレンズフード外径部を装着させる方法であるために、フィルター枠の内径部をレンズフード外形部により縮小させることになり、このレンズフードの装着方法はケラレ等を生じさせる原因を有していたが、本発明においては、フィルター枠の外周部を用いてレンズフードを着脱自在に取付ける構成を採用することにより、ケラレ等が生じることを防止することが可能になった。
【００４９】
また、ケラレ等の防止効果があるカメラレンズ鏡筒の先端部にレンズフードをバヨネット構造にて装着する方法は、カメラレンズ鏡筒の外周部に複数個のバヨネット溝やバヨネット係合部を突設して設ける必要があり、複雑なカメラレンズ鏡筒の製作工程をより複雑化してしまう欠点が生じてしまうが、本発明においては、レンズフードをフィルター枠に簡単且つ容易に取付けすることができ、また、不要時にはフィルター枠よりレンズフードを簡単且つ容易に取外しするこができるレンズフードの装着機構付フィルター枠を提供することが可能になった。
【００５０】
更にまた、カメラレンズ鏡筒先端部に設けられる従来のバヨネット構造のレンズフード装着機構は、レンズフードの装着部内径側に設けられた複数のバヨネット片がカメラレンズ鏡筒外周面に設けられたバヨネット係合部とバヨネット溝において挟持され、この挟持に際して両者間に生じる摩擦力により係合状態を維持している構造であるために、カメラを肩から下げての移動中に突然レンズフードが外れて落下してしまう欠点が生じたり、バヨネット構造部の経年変化によりレンズフードの摩擦による保持力の低下や、装着操作の低下等の問題が生じることは避けられないものであったが、本発明では、この点をフィルター枠の外周部にレンズフード装着用のバヨネット係合部を刻設し、該レンズフード装着用のバヨネット係合部にレンズフードの装着用内径部に突設したバヨネット片を係合し、その係合したフィルルター枠とレンズフード間をスライドピン等の係止機構にて係着することにより、解消することができた。
【００５１】
そして、従来のカメラレンズ鏡筒先端部に突出して設けられるバヨネット構造のバヨネット係合部は、構造が繊細で壊れやすく、特にカメラレンズ鏡筒の先端部にレンズフードを装着した場合において、レンズフードを堅い物にぶつけてしまった場合等にバヨネット構造のバヨネット係合部やバヨネット片は壊れやすく、カメラレンズ鏡筒外周部に設けられたバヨネット係合部が壊れた場合には、カメラレンズ鏡筒全体をも破損品として扱われてしまう等の欠点を解消可能であり、本発明のカメラレンズ鏡筒先端部にはバヨネット構造を設けることなく、カメラレンズ鏡筒として外観上の見栄えのよいレンズフード装着機構付フィルター枠を提供することが可能になった。
【符号の説明】
【００５２】
１  カメラ本体側
２  入射光側
３  カメラレンズ鏡筒先端部
４  フィルター枠
５  レンズフード
６  内径側
７  雌ネジ部
８  雄ネジ部
９  フィルターレンズ
１０  外周部
１１  レンズフード装着用の雄ネジ部
１２  装着開口部
１３  フードを形成するカバー部
１４  装着用内径部
１５  レンズフード雌ネジ部
１６ａ、１６ｂ、１６ｃ・・・  バヨネット係合部
１７ａ、１７ｂ、１７ｃ・・・  係合溝
１８ａ、１８ｂ、１８ｃ・・・  バヨネット片
１９  スライドピン
２０  スライドピン係合孔
Ｃ  光軸
【要約】
【課題】ケラレ等を防止するレンズフードの取付け機構、及びケラレ等の防止効果のあるバヨネット構造のフード取付け構造の欠点を解消して、壊れにくく外観上見栄えのよいレンズフードの取付け機構を有するフィルター枠を提供する。
【解決手段】フィルター枠の外周部全体または一部分にレンズフード装着用の雄ネジ部を螺設し、該レンズフード装着用の雄ネジ部にレンズフードの装着用内径部に螺設したレンズフード雌ネジ部を螺合することでフィルター枠の外周部にレンズフードを着脱自在に取付けたカメラ用のフィルター枠。
【選択図】図１【図１】
0005524376.tif 000002
【図２】
0005524376.tif 000003